(57)【要約】【課題】撮影環境を考慮して、ユーザが所望する画質の画像を撮影することができるようにする。【解決手段】異なる撮影環境のいずれかに適合する複数の画像を記憶する画像記憶手段を備え、画像記憶手段には、いずれの撮影環境についても複数の画像が記憶され、画像記憶手段に記憶されている画像から、撮影環境毎に画像を特定する画像特定手段と、撮影環境を検出する撮影環境検出手段と、画像特定手段が特定した画像のうち、撮影環境検出手段が検出した撮影環境に対応する画像の画質設定を最適画質設定として特定する最適画質設定特定手段と、最適画質設定特定手段が特定した最適画質設定に基づいて撮影画像に対する処理を行う画像処理手段とを備える。【選択図】図１
2009105550.tif 000002
【特許請求の範囲】
【請求項１】
異なる撮影環境のいずれかに適合する複数の画像を記憶する画像記憶手段を備え、画像記憶手段には、いずれの撮影環境についても複数の画像が記憶され、
前記画像記憶手段に記憶されている画像から、撮影環境毎に画像を特定する画像特定手段と、
撮影環境を検出する撮影環境検出手段と、
前記画像特定手段が特定した画像のうち、前記撮影環境検出手段が検出した撮影環境に対応する画像の画質設定を最適画質設定として特定する最適画質設定特定手段と、
前記最適画質設定特定手段が特定した最適画質設定に基づいて撮影画像に対する処理を行う画像処理手段と
を備えたことを特徴とする撮像装置。
【請求項２】
画像特定手段は、画像記憶手段に記憶されている画像を表示してユーザに選択させることによって、撮影環境毎に画像を特定する請求項１記載の撮像装置。
【請求項３】
撮影モード毎の画質設定を記憶する撮影モード記憶手段を備え、
最適画質設定特定手段は、設定された撮影モードに対応する画質設定を前記撮影モード記憶手段から抽出し、抽出した画質設定と撮影環境検出手段が検出した撮影環境に対応する画像の画質設定とに基づいて最適画質設定を特定する
請求項１または請求項２記載の撮像装置。
【請求項４】
画像特定手段が特定した画像毎の画質設定を記憶する画質設定記憶手段を備え、
最適画質設定特定手段は、前記画質設定記憶手段から、撮影環境検出手段が検出した撮影環境に対応する画像の画質設定を抽出し、最適画質設定として特定する
請求項１から請求項３のうちのいずれか１項に記載の撮像装置。
【請求項５】
最適画質設定特定手段が特定した最適画質設定を記憶する最適画質設定記憶手段を備え、
画像処理手段は、前記最適画質設定記憶手段が記憶する最適画質設定に基づいて撮影画像に対する処理を行う
請求項１から請求項４のうちのいずれか１項に記載の撮像装置。
【請求項６】
異なる撮影環境のいずれかに適合する複数の画像を記憶し、いずれの撮影環境についても複数の画像を記憶する画像記憶手段に記憶されている画像から、撮影環境毎に画像を特定する画像特定ステップと、
撮影環境を検出する撮影環境検出ステップと、
前記画像特定ステップで特定した画像のうち、前記撮影環境検出ステップで検出した撮影環境に対応する画像の画質設定を最適画質設定として特定する最適画質設定特定ステップと、
前記最適画質設定特定ステップで特定した最適画質設定に基づいて撮影画像に対する処理を行う画像処理ステップと
を含むことを特徴とする画像処理方法。
【請求項７】
画像特定ステップで、画像記憶手段に記憶されている画像を表示してユーザに選択させることによって、撮影環境毎に画像を特定する請求項６記載の画像処理方法。
【請求項８】
コンピュータに、
異なる撮影環境のいずれかに適合する複数の画像を記憶し、いずれの撮影環境についても複数の画像を記憶する画像記憶手段に記憶されている画像から、撮影環境毎に画像を特定する画像特定処理と、
撮影環境を検出する撮影環境検出処理と、
前記画像特定処理で特定した画像のうち、前記撮影環境検出処理で検出した撮影環境に対応する画像の画質設定を最適画質設定として特定する最適画質設定特定処理と、
前記最適画質設定特定処理で特定した最適画質設定に基づいて撮影画像に対する処理を行う画像処理処理と
を実行させるための画像処理プログラム。
【請求項９】
コンピュータに、
画像特定ステップで、画像記憶手段に記憶されている画像を表示してユーザに選択させることによって、撮影環境毎に画像を特定する処理を実行させるための
請求項８記載の画像処理プログラム。
【発明の詳細な説明】
【技術分野】
【０００１】
本発明は、画質の設定が可能な撮像装置、画質処理方法および画質処理プログラムに関する。
【背景技術】
【０００２】
近年のデジタル技術の進歩は目覚ましく、銀塩カメラやビデオカメラは、デジタルカメラやデジタルビデオカメラに置き換わりつつある。デジタルカメラやデジタルビデオカメラ等の撮像装置は、単体の機器として販売、使用されることもあれば、携帯電話機やＰＣ（パーソナルコンピュータ）等の携帯端末に組み込まれて販売、使用されることもある。
【０００３】
撮像装置は、広く普及し、日々技術革新が進んでいる。また、より一層の機能の多様化、高機能化、高画質化が図られている。中でも、画質に関しては、ユーザが最も注視する点である。しかし、撮像画像の好みは十人十色であり、全てのユーザに満足してもらえる画像にチューニングすることは簡単ではない。一般に、撮像装置の画質チューニングを行う際には、数多くの設定候補の中から総合的にバランスの取れた設定を選択することが多い。しかし、選択設定した画質が、全てのユーザの好みの画質であるとは限らない。
【０００４】
撮影条件をサンプル画像と同じ撮影条件に自動設定することができる撮像装置として、サンプル画像にプロが撮影したときの撮影条件のファイルを関連付けておき、選択されたサンプル画像の撮影条件に変更して撮影する撮像装置が提案されている（例えば、特許文献１参照）。
【０００５】
【特許文献１】特開２００４−１９３９８１号公報（段落００１８，００２６）
【発明の開示】
【発明が解決しようとする課題】
【０００６】
一般に、画質設定用のパラメータとして、露出やホワイトバランスなどがある。これらのパラメータが同じであっても、例えば、晴天の場合と曇天の場合とでは、異なる画質の画像となる。すなわち、パラメータは、撮影環境に応じて設定する必要がある。しかし、特許文献１に記載された方式では、サンプル画像にあらかじめ対応付けて設定されたパラメータで撮影され、撮影環境は考慮されない。したがって、撮影環境によっては、ユーザが選択したサンプル画像とは異なる画質となってしまう可能性がある。
【０００７】
そこで、本発明は、撮影環境を考慮して、ユーザが所望する画質の画像を撮影することができる撮像装置、画質処理方法および画質処理プログラムを提供することを目的とする。
【課題を解決するための手段】
【０００８】
本発明による撮像装置は、異なる撮影環境のいずれかに適合する複数の画像を記憶する画像記憶手段を備え、画像記憶手段には、いずれの撮影環境についても複数の画像が記憶され、画像記憶手段に記憶されている画像から、撮影環境毎に画像を特定する画像特定手段と、撮影環境を検出する撮影環境検出手段と、画像特定手段が特定した画像のうち、撮影環境検出手段が検出した撮影環境に対応する画像の画質設定を最適画質設定として特定する最適画質設定特定手段と、最適画質設定特定手段が特定した最適画質設定に基づいて撮影画像に対する処理を行う画像処理手段とを備えたことを特徴とする。
【０００９】
本発明による画像処理方法は、異なる撮影環境のいずれかに適合する複数の画像を記憶し、いずれの撮影環境についても複数の画像を記憶する画像記憶手段に記憶されている画像から、撮影環境毎に画像を特定する画像特定ステップと、撮影環境を検出する撮影環境検出ステップと、画像特定ステップで特定した画像のうち、撮影環境検出ステップで検出した撮影環境に対応する画像の画質設定を最適画質設定として特定する最適画質設定特定ステップと、最適画質設定特定ステップで特定した最適画質設定に基づいて撮影画像に対する処理を行う画像処理ステップとを含むことを特徴とする。
【００１０】
本発明による画像処理プログラムは、コンピュータに、異なる撮影環境のいずれかに適合する複数の画像を記憶し、いずれの撮影環境についても複数の画像を記憶する画像記憶手段に記憶されている画像から、撮影環境毎に画像を特定する画像特定処理と、撮影環境を検出する撮影環境検出処理と、画像特定処理で特定した画像のうち、撮影環境検出処理で検出した撮影環境に対応する画像の画質設定を最適画質設定として特定する最適画質設定特定処理と、最適画質設定特定処理で特定した最適画質設定に基づいて撮影画像に対する処理を行う画像処理処理とを実行させることを特徴とする。
【発明の効果】
【００１１】
本発明によれば、撮影環境を考慮して、ユーザが所望する画質の画像を撮影することができるという効果がある。
【発明を実施するための最良の形態】
【００１２】
実施形態１．
まず、本発明の第１の実施形態を図面を参照して説明する。図１は、第１の実施形態の撮像装置の構成例を示すブロック図である。図１に例示する撮像装置１００は、画像特定手段１０と、撮影環境検出手段２０と、最適画質設定特定手段３０と、画像処理手段４０とを備える。
【００１３】
画像特定手段１０は、あらかじめ所定の撮影環境毎に画像を特定する。
【００１４】
撮影環境検出手段２０は、撮影環境を検出する。
【００１５】
最適画質設定特定手段３０は、画像特定手段１０が特定した画像のうち、撮影環境検出手段２０が検出した撮影環境に対応する画像の画質設定を最適画質設定として特定する。
【００１６】
画像処理手段４０は、最適画質設定特定手段３０が特定した最適画質設定に基づいて撮影画像に対する処理を行う。
【００１７】
図１に示すように構成すれば、あらかじめ撮影環境毎に所望する画質の画像を特定しておき、検出した撮影環境に対応する画像の画質設定（最適画質設定）に基づいて撮影画像に対する処理を行うことから、撮影環境が変化した場合であっても、操作を行うことなく所望する画質の画像を撮影することができる。
【００１８】
実施形態２．
次に、本発明の第２の実施形態を図面を参照して説明する。図２は、第２の実施形態の撮像装置の構成例を示すブロック図である。図２に例示する撮像装置２００は、画像特定手段１０と、画像記憶手段１１と、画質設定記憶手段１２と、撮影環境検出手段２０と、最適画質設定特定手段３０と、撮影モード記憶手段３１と、最適画質設定記憶手段３２と、画像処理手段４０と、撮像手段５０と、表示手段６０とを備える。
【００１９】
本発明による撮像装置２００は、より多くのユーザが自分の好みに近い画質で撮影できるように、事前に撮像装置に登録された画像を確認し、選択した画質設定を最適画質設定として撮像装置２００に自動的に反映させる機能を有する。
【００２０】
撮像装置２００は、ＣＰＵ（図示せず。）と、ＣＰＵが実行する各種の制御プログラムや撮像装置２００の各種設定を行うための設定アプリケーションを記憶するＲＯＭ（図示せず。）とを備える。ＣＰＵは、ＲＯＭが記憶するプログラムに従って動作する。また、撮像装置２００は、例えば画像処理を行うＤＳＰ（図示せず。）と、ＤＳＰが実行する処理プログラムやデータ等を記憶する画像処理用メモリ（図示せず。）とを備える。ＤＳＰは、画像処理用メモリが記憶するプログラムに従って動作する。
【００２１】
なお、撮像装置２００は、コンピュータで実現可能であり、画像特定手段１０および最適画質設定特定手段３０は、例えば、ＣＰＵに以下に説明する機能を実現させるためのプログラムとして実現可能である。また、画像処理手段４０は、例えば、ＤＳＰに以下に説明する機能を実現させるためのプログラムとして実現可能である。
【００２２】
画像特定手段１０は、あらかじめ所定の撮影環境毎に画像を特定する。画像特定手段１０は、例えば、ユーザが所定の撮影環境毎に画像記憶手段１１から選択した画像を特定する。また、画像特定手段１０は、特定した画像毎の画質設定を画質設定記憶手段１２に記憶させる。
【００２３】
画像記憶手段１１は、例えば、画質設定が異なる複数の画像を記憶する。画像記憶手段１１は、例えば、所定の撮影環境毎に、被写体が同じで色合い等の画質設定が異なる複数の画像を記憶する。
【００２４】
画質設定記憶手段１２は、画像特定手段１０が特定した画像毎の画質設定（設定パラメータ）を記憶する。例えば、画質設定記憶手段１２は、ユーザがあらかじめ所定の撮影環境毎に選択した画像に対応付けて、設定パラメータを記憶する。そのため、数種類の色再現を表現することができ、画質表現能力の幅が広くなる。
【００２５】
図３は、画像記憶手段１１が記憶する画像の例を説明するための説明図である。図３には、撮影環境毎に２つの画像を記憶する場合を例示する。例えば、画像記憶手段１１は、図３に示すように、通常環境に対する画像として、色合いを派手目（鮮やか）にさせた設定で実際の色合いとは多少異なる画像Ａと、自然な色合いの設定で実際の色に忠実な画像Ｂとを記憶する。また、低照度環境に対する画像として、ノイズは多いが、色合いがしっかり出ている設定の画像Ｃと、ノイズを目立たなくさせる為に低照度環境時のみ色合いを落とした設定の画像Ｄとを記憶する。さらに、白熱灯環境として、白熱灯そのものの色（橙色）を忠実に残す設定の画像Ｅと、ＷＢ（ホワイトバランス）を効かせた設定で白熱灯の色味は残らない画像Ｆとを記憶する。なお、図３に示す例は、あくまで画像記憶手段１１が記憶する画像の一例であり、本発明の技術的範囲を制限するものではない。
【００２６】
例えば、ユーザが、通常環境に対して画像Ａを選択し、低照度環境に対して画像Ｄを選択し、白熱灯環境に対して画像Ｅを選択した場合を例にして説明する。
【００２７】
画像特定手段１０は、画質設定記憶手段１２に、例えば、通常環境を示す情報に対応させて画像Ａの設定パラメータを登録し、低照度環境を示す情報に対応させて画像Ｄの設定パラメータを登録し、白熱灯環境を示す情報に対応させて画像Ｅの設定パラメータを登録する。画質設定記憶手段１２に登録する各画像の設定パラメータとして、例えば、あらかじめ画像記憶手段１１が画像に対応付けて記憶しておいた値を用いてもよいし、画質設定記憶手段１２に登録する際に画像特定手段１０が画像から抽出した値を用いてもよい。
【００２８】
撮影環境検出手段２０は、撮影環境を検出する。撮影環境検出手段２０は、例えば、シャッタースピードにより撮影環境を検出する。例えば、撮影環境検出手段２０は、プレビュー時のシャッタースピードと、あらかじめ設定されたシャッタースピードの閾値とを比較する。撮影環境検出手段２０は、プレビュー時のシャッタースピードが閾値よりも遅い場合には低照度環境と判定し、閾値よりも速い場合には通常環境下と判定する。
【００２９】
また、撮影環境検出手段２０は、例えば、色温度により撮影環境を検出する。撮影環境検出手段２０は、例えば、色温度検出機能を有する。撮影環境検出手段２０は、例えば、色温度が約２７００Ｋ程度であった場合には白熱灯環境と判定する。日陰や曇天などの色温度に特徴がある環境下では、色温度による撮影環境の抽出が有効となる。
【００３０】
最適画質設定特定手段３０は、画像特定手段１０が特定した画像のうち、撮影環境検出手段２０が検出した撮影環境に対応する画像の画質設定を最適画質設定として特定する。例えば、最適画質設定特定手段３０は、画質設定記憶手段１２から、撮影環境検出手段２０が検出した撮影環境に対応する画像の画質設定を抽出し、最適画質設定として特定する。上記の例では、例えば、撮影環境検出手段２０が、撮影環境として「白熱灯環境」を検出した場合、最適画質設定特定手段３０は、画質設定記憶手段１２から、白熱灯環境を示す情報に対応させて登録されている画像Ｅの設定パラメータを抽出し、最適画質設定として特定する。
【００３１】
撮影モード記憶手段３１は、例えば、撮影モード毎に画質設定を記憶する。撮影モードには、例えば、オートモード、ポートレートモード、風景モード、屋内モード等のモードがある。例えば、ユーザが、環境や条件に応じてモードを選択すると、選択されたモードに応じた設定パラメータで撮影される。
【００３２】
例えば、最適画質設定特定手段３０は、ユーザによって選択された撮影モードに対応する画質設定を撮影モード記憶手段３１から抽出し、抽出した撮影モードに対応する画質設定と、撮影環境検出手段２０が検出した撮影環境に対応する画像の画質設定とに基づいて、最適画質設定を特定してもよい。この場合、最適画質設定が同じ（例えば、色表現が同じ）であっても、撮影モードに応じて、さらに異なる画質の画像を撮影することができる。なお、以下の説明では、撮影モードとしてオートモードが選択されたとして、撮影モードに対応する画質設定についての説明を省略する。
【００３３】
また、最適画質設定特定手段３０は、特定した最適画質設定を最適画質設定記憶手段３２に記憶させる。例えば、最適画質設定特定手段３０は、画像Ｅの設定パラメータを最適画質設定記憶手段３２に記憶させる。
【００３４】
最適画質設定記憶手段３２は、最適画質設定特定手段３０が特定した最適画質設定を記憶する。上記の例では、最適画質設定記憶手段３２は、画像Ｅの設定パラメータを記憶する。最適画質設定記憶手段３２は、例えば、ＣＰＵがプログラムを実行する上で一時的に必要とされるデータなどの各種データを記憶するレジスタで実現される。
【００３５】
撮像手段５０は、被写体を撮影して撮影画像を生成する。具体的には、撮像手段５０は、被写体を撮像して撮影画像に対応する電気信号を出力する撮像素子で実現される。
【００３６】
画像処理手段４０は、最適画質設定特定手段３０が特定した最適画質設定に基づいて撮影画像に対する処理を行う。画像処理手段４０は、具体的には、撮像手段５０が出力した電気信号を画像データに変換し、最適画質設定特定手段３０が特定した最適画質設定に基づいて撮影画像に対する処理を行う。
【００３７】
画像処理手段４０は、最適画質設定記憶手段３２が記憶する最適画質設定に基づいて撮影画像に対する処理を行ってもよい。上記の例では、画像処理手段４０は、例えば、最適画質設定記憶手段３２が記憶する画像Ｅの設定パラメータに基づいて、画像処理を行う。
【００３８】
表示手段６０は、画像処理手段４０が処理を行った画像を表示する。表示手段６０は、例えば、液晶表示装置などのディスプレイによって実現される。
【００３９】
次に、まず、一般的な撮像装置（カメラ）の動作について説明する。以下、撮影モードのデフォルト（初期設定）がオートモードである場合について説明する。図４は、一般的な撮像装置の動作の例を示すフローチャートである。
【００４０】
オートモードでカメラが起動されると（ステップＳ１０１）、撮像装置２００のＣＰＵは、表示手段６０にプレビュー画像を表示させる（ステップＳ１０２）。ユーザがプレビュー画像を確認した結果、撮影モードの変更を選択しなかった場合（変更無し）、撮像手段５０は、ユーザのシャッター押下に応じて被写体を撮影する（ステップＳ１０３）。
【００４１】
ステップＳ１０２において、ユーザが撮影モードの変更を選択した場合（設定変更）、ＣＰＵは、表示手段６０にメニュー画面（設定アプリケーション）を表示させる（ステップＳ１０４）。ＣＰＵは、ステップＳ１０２に移行し、ユーザによってマニュアル（手動）選択された撮影モードに対応する画質設定に基づくプレビュー画像を表示手段６０に表示させる。
【００４２】
ステップＳ１０３においてシャッターが押下されると、撮像手段５０は、被写体を撮像して撮影画像に対応する電気信号を出力する。画像処理手段４０は、撮像手段５０が出力した電気信号を画像データに変換し、選択された撮影モードに対応する画質設定に基づいて画像処理を行う。表示手段６０は、撮影画像を表示する（ステップＳ１０５）。
【００４３】
ステップＳ１０５において、ユーザが画像を確認し、画像の登録を選択すると（登録）、ＣＰＵは画像を所定の外部メモリ（図示せず。）等に記憶させ（ステップＳ１０６）、一連の処理を終了する。画像の登録を選択せずに再撮影を行う場合には（再撮影）、ステップＳ１０３に移行する。
【００４４】
上述したように、一般的なカメラには、ユーザが撮影環境に応じてマニュアル（手動）で撮影モードを選択する機能は設けられているが、各撮影モードに対して１通りの設定パラメータがあるだけである。そのため、撮影モードをマニュアル選択しても、必ずしもユーザの好みの画質で撮影できるとは限らない。
【００４５】
次に、図５を参照して第２の実施形態の動作について説明する。図５は、第２の実施形態における撮像装置の動作の例を示すフローチャートである。
【００４６】
まず、撮像装置２００のＣＰＵは、例えば、ユーザによって起動された設定アプリケーションにおいて、本発明による画質選択機能設定が選択されたか否かを判断する（ステップＳ２０１）。画質選択機能設定とは、本発明による機能であって、所定の撮影環境毎に所望する画質の画像をユーザに選択させることにより、所望する画質の画像を撮影する機能である。画質選択機能設定が選択されなかったと判断した場合（しない）、ステップＳ１０１に移行し、一般的な処理を行う。なお、ステップＳ１０１以降の処理は、図４に例示する処理と同様なため説明を省略する。
【００４７】
ステップＳ２０１において、画質選択機能設定が選択されたと判断した場合（する）、画像特定手段１０は、例えば、所定の撮影環境を示す情報に対応付けて、被写体が同じで色合い等が異なる複数の画像（候補画像）を表示手段６０に表示させることにより、ユーザに好みの画像の選択を促す（ステップＳ２０２）。画像特定手段１０は、例えば、画像記憶手段１１が記憶する画像を候補画像として表示させる。例えば、図３には、例として、３つの環境を想定し、それぞれ２種類の画像を設定することにより、６種類の候補画像を示している。画像特定手段１０は、例えば、通常環境に対して画像Ａ，Ｂを表示させ、低照度環境に対して画像Ｃ，Ｄを表示させ、白熱灯環境に対して画像Ｅ，Ｆを表示させる。なお、各撮影環境に対し、選択できる画像は１種類であるとする。
【００４８】
ステップＳ２０２において、画像特定手段１０は、候補画像からユーザの好みの画像が選択されたか否かを判断する。画像が選択されたと判断した場合（候補有り）、画像特定手段１０は、選択された画像を所定の撮影環境毎に特定する。例えば、ユーザが、通常環境に対して画像Ａを選択し、低照度環境に対して画像Ｄを選択し、白熱灯環境に対して画像Ｅを選択した場合、画像特定手段１０は、画質設定記憶手段１２に、通常環境を示す情報に対応させて画像Ａの設定パラメータを登録し、低照度環境を示す情報に対応させて画像Ｄの設定パラメータを登録し、白熱灯環境を示す情報に対応させて画像Ｅの設定パラメータを登録する。
【００４９】
一方、ステップＳ２０２において、画像が選択されなかったと判断した場合（候補無し）、ステップＳ１０１に移行し、一般的な処理を行う。
【００５０】
次に、撮影環境検出手段２０が、撮影環境を自動で検出すると（ステップＳ２０３）、最適画質設定特定手段３０は、画質設定記憶手段１２から、撮影環境検出手段２０が検出した撮影環境に対応する画像の画質設定を抽出し、最適画質設定として特定する。例えば、撮影環境検出手段２０が、撮影環境として「白熱灯環境」を検出した場合、最適画質設定特定手段３０は、画質設定記憶手段１２から、白熱灯環境を示す情報に対応させて登録されている画像Ｅの設定パラメータを最適画質設定として特定する。
【００５１】
最適画質設定特定手段３０が、最適画質設定として特定した画像Ｅの設定パラメータを最適画質設定記憶手段３２に記憶させると（ステップＳ２０４）、画像処理手段４０は、例えば、最適画質設定記憶手段３２が記憶する設定パラメータに基づいて、表示手段６０にプレビュー画像を表示させる（ステップＳ２０５）。ユーザがプレビュー画像を確認した結果、設定パラメータの変更を選択しなかった場合（変更無し）、ステップＳ１０３に移行し、撮像手段５０は、ユーザのシャッター押下に応じて被写体を撮影する。
【００５２】
ステップＳ２０５において、ユーザが設定パラメータの変更を選択した場合（設定変更）、ステップＳ２０２に移行し、画像特定手段１０は、所定の撮影環境毎の好みの画像の選択をユーザに促す。ステップＳ２０２において、ユーザは、再度別の候補画像を選択するか（候補有り）、通常フローに戻るか（候補無し）を選択することができる。
【００５３】
なお、上記に示した実施形態では、撮影モードのデフォルトをオートモードとして説明したが、他の撮影モードが設定されていてもよい。
【００５４】
また、図５に示す例では、ステップＳ２０３において撮影環境を検出し、ステップＳ２０４において、検出した撮影環境に対応する画像の設定パラメータが最適画質設定として最適画質設定記憶手段３２に記憶されると、カメラ機能を再起動しない限り、ステップＳ２０３の処理が実行されないが、カメラ機能を再起動しなくてもステップＳ２０３の処理が実行されるように動作してもよい。
【００５５】
例えば、ステップＳ２０５におけるプレビュー表示時に、撮影環境が変化した場合には、より適切な設定への自動切替を実施すべく、ステップＳ２０３，Ｓ２０４の処理を実行することが好ましい。そのような処理を行うことにより、例えば、ユーザが撮像装置を持ち歩きながら撮影を実施している場合など、リアルタイムに変化する撮影環境下でも、最適な設定で撮影を行うことができる。
【００５６】
以上に説明したように、上記の第２の実施形態によれば、第１の実施形態と同様に、
簡単な操作で、ユーザの好みに近い画像を撮影することができる。
【００５７】
また、撮影環境条件を自動で検出し、最適なパラメータ設定（最適画質設定）をレジスタに書き込む機能を有しているため、ユーザは事前に撮影環境毎に好みの画像を一括選択するだけでよく、その後撮影するたびにサンプル画像から好みの画像を選択するなどの面倒なマニュアル操作が不要となる効果がある。
【００５８】
さらに、撮影環境の変化に応じて、リアルタイムに最適な設定パラメータ（最適画質設定）を設定する処理を行うことにより、ユーザが撮像装置を持ち歩きながら撮影を実施する場合でも、最適な設定で撮影を行うことが可能になる。
【００５９】
また、撮像装置における画質表現能力の自由度が大きく広がるという効果がある。事前登録された画像に対応するパラメータ設定を撮像装置内に有しているため、数種類の色表現を再現でき、結果として画質表現能力の幅が広くなるためである。
【００６０】
なお、上記に示した実施形態では、以下の（１）〜（５）に示すような特徴的構成を備えた撮像装置が示されている。
【００６１】
（１）異なる撮影環境のいずれかに適合する複数の画像を記憶する画像記憶手段（例えば、画像記憶手段１１で実現される）を備え、画像記憶手段には、いずれの撮影環境についても複数の画像が記憶され、画像記憶手段に記憶されている画像から、撮影環境毎に画像を特定する画像特定手段（例えば、画像特定手段１０で実現される）と、撮影環境を検出する撮影環境検出手段（例えば、撮影環境検出手段２０で実現される）と、画像特定手段が特定した画像のうち、撮影環境検出手段が検出した撮影環境に対応する画像の画質設定を最適画質設定として特定する最適画質設定特定手段（例えば、最適画質設定特定手段３０で実現される）と、最適画質設定特定手段が特定した最適画質設定に基づいて撮影画像に対する処理を行う画像処理手段（例えば、画像処理手段４０で実現される）とを備えたことを特徴とする撮像装置。
【００６２】
（２）画像特定手段は、画像記憶手段に記憶されている画像を表示してユーザに選択させることによって、撮影環境毎に画像を特定する撮像装置。そのように構成された撮像装置は、ユーザが撮影環境毎に自分の好みの画質の画像を選択することができるため、どのような撮影環境であってもユーザが所望する画質の画像を撮影することができる。
【００６３】
（３）撮影モード毎の画質設定を記憶する撮影モード記憶手段（例えば、撮影モード記憶手段３１で実現される）を備え、最適画質設定特定手段は、設定された撮影モードに対応する画質設定を撮影モード記憶手段から抽出し、抽出した画質設定と撮影環境検出手段が検出した撮影環境に対応する画像の画質設定とに基づいて最適画質設定を特定する撮像装置。そのように構成された撮像装置は、検出した撮影環境に応じた画質設定と、選択された撮影モードに応じた画質設定とに基づいて画像処理を行うことができる。
【００６４】
（４）画像特定手段が特定した画像毎の画質設定を記憶する画質設定記憶手段（例えば、画質設定記憶手段１２で実現される）を備え、最適画質設定特定手段は、画質設定記憶手段から、撮影環境検出手段が検出した撮影環境に対応する画像の画質設定を抽出し、最適画質設定として特定する撮像装置。そのように構成された撮像装置は、撮影環境が変化しても、再度設定を行うことなく、検出した撮影環境に対応する画像の画質設定に基づいて画像処理を行うことができる。
【００６５】
（５）最適画質設定特定手段が特定した最適画質設定を記憶する最適画質設定記憶手段（例えば、最適画質設定記憶手段３２で実現される）を備え、画像処理手段は、最適画質設定記憶手段が記憶する最適画質設定に基づいて撮影画像に対する処理を行う撮像装置。そのように構成された撮像装置は、撮影環境が変化しない場合には、設定を変更することなく、所望の画質設定に基づいて画像処理を行うことができる。
【産業上の利用可能性】
【００６６】
本発明は、画質の設定が可能な撮像装置に効果的に適用できる。
【図面の簡単な説明】
【００６７】
【図１】第１の実施形態の撮像装置の構成例を示すブロック図である。
【図２】第２の実施形態の撮像装置の構成例を示すブロック図である。
【図３】画像記憶手段が記憶する画像の例を説明するための説明図である。
【図４】一般的な撮像装置の動作の例を示すフローチャートである。
【図５】第２の実施形態における撮像装置の動作の例を示すフローチャートである。
【符号の説明】
【００６８】
１０    画像特定手段
２０    撮影環境検出手段
３０    最適画質設定特定手段
４０    画像処理手段
１００  撮像装置
【図１】
2009105550.tif 000003
【図２】
2009105550.tif 000004
【図３】
2009105550.tif 000005
【図４】
2009105550.tif 000006
【図５】
2009105550.tif 000007